(57)【特許請求の範囲】
【請求項１】
発光素子と受光素子とからなる光電素子対の間の空間に被検生体の指を介挿させた状態で、前記発光素子から発光される光を前記受光素子で受光することにより、前記被検生体の生体情報を得る生体情報測定装置であって、
前記発光素子および前記受光素子のうちの一方を第１光電素子とし、他方を第２光電素子としたとき、
前記生体情報測定装置は、
（ａ）前記第１光電素子と前記第２光電素子との対を光電素子対として使用して前記生体情報を光学的に測定する測定部と、
（ｂ）前記測定部とは別体として形成されるとともに前記測定部に連結され、前記被検生体の指を受けて保持する指受け部と、
を備えるとともに、
前記測定部が、
前記第１光電素子を光学的に露出する位置に保持するハウジングと、当該ハウジング内に設けられ、前記第１光電素子と結合した本体内電子回路とを備える本体部と、
前記本体部と一体形成され、前記指受け部を挟んで前記第１光電素子と光学的に対向する位置に第２光電素子を保持しており、当該第２光電素子と前記本体内電子回路との間における、電力供給および信号伝達のための伝送路を保持しているアームと、
を備えており、
前記光電素子対を用いた前記生体情報の光学的測定と、当該測定結果の外部への送信とのいずれもが、前記本体内電子回路で実行される生体情報測定装置。
【請求項２】
請求項１に記載の生体情報測定装置であって、
前記指受け部には、前記アームの形状と対応する溝構造が設けられており、
前記測定部と前記指受け部との連結が、前記アームを前記溝構造に適合させて行われる生体情報測定装置。
【請求項３】
請求項１に記載の生体情報測定装置であって、
前記指受け部には、前記アームの形状と対応するトンネル構造が設けられており、
前記測定部と前記指受け部との連結が、前記アームを前記トンネル構造に挿通させて行われる生体情報測定装置。
【請求項４】
請求項１ないし請求項３のいずれかに記載の生体情報測定装置であって、
前記測定部と前記指受け部とが接着剤によって固着されることにより固定的に連結される生体情報測定装置。
【請求項５】
請求項１ないし請求項３のいずれかに記載の生体情報測定装置であって、
前記測定部と前記指受け部とが着脱自在である生体情報測定装置。
【請求項６】
請求項５に記載の生体情報測定装置であって、
前記測定部の前記本体部と前記指受け部との一方に凸部が、他方に凹部がそれぞれ形成されることによって、前記凸部と前記凹部とが互いに嵌合可能な凹凸嵌合構造が形成され、前記凹凸嵌合構造によって前記測定部と前記指受け部とが着脱自在とされる生体情報測定装置。
【請求項７】
請求項５に記載の生体情報測定装置であって、
前記測定部と前記指受け部とを狭持可能なクリップ構造が設けられ、前記クリップ嵌合構造によって前記測定部と前記指受け部とが着脱自在とされる生体情報測定装置。
【請求項８】
請求項１ないし請求項７のいずれかに記載の生体情報測定装置であって、
前記アームにおける前記第２光電素子および前記伝送路が、フレキシブルな基板上に実装される生体情報測定装置。
【請求項９】
請求項１ないし請求項８のいずれかに記載の生体情報測定装置であって、
前記指受け部が、前記被検生体の指を保持するための弾性力を発する弾性体を含む生体情報測定装置。
【請求項１０】
請求項９に記載の生体情報測定装置であって、
前記指受け部が、前記指を一方向に挿入させる挿入孔を有する環状部を有し、
前記環状部が、前記弾性力によって前記挿入孔が閉じる方向に弾性変形する生体情報測定装置。
【請求項１１】
発光素子と受光素子とからなる光電素子対の間の空間に被検生体の指を介挿させた状態で、前記発光素子から発光される光を前記受光素子で受光することにより、前記被検生体に関する生体情報を得る生体情報測定装置の測定部であって、
前記発光素子および前記受光素子のうちの一方を第１光電素子とし、他方を第２光電素子としたとき、
前記第１光電素子を光学的に露出する位置に保持するハウジングと、当該ハウジング内に設けられ、前記第１光電素子と結合した本体内電子回路とを備える本体部と、
前記本体部と一体形成され、所定の指受け部を挟んで前記第１光電素子と光学的に対向する位置に第２光電素子を保持しており、当該第２光電素子と前記本体内電子回路との間における、電力供給および信号伝達のための伝送路を保持しているアームと、
を備えており、
前記指受け部は、前記測定部とは別体として形成されるとともに前記測定部に連結され、前記被検生体の指を受けて保持するものであり、
前記光電素子対を用いた前記生体情報の光学的測定と、当該測定結果の外部への送信とのいずれもが、前記本体内電子回路で実行される生体情報測定装置の測定部。
【請求項１２】
発光素子と受光素子とからなる光電素子対の間の空間に被検生体の指を介挿させた状態で、前記発光素子から発光される光を前記受光素子で受光することにより、前記被検生体に関する生体情報を得る生体情報測定装置において、前記被検生体の指を受けて保持する指受け部であって、
前記発光素子および前記受光素子のうちの一方を第１光電素子とし、他方を第２光電素子としたとき、
測定部は、
前記第１光電素子を光学的に露出する位置に保持するハウジングと、当該ハウジング内に設けられ、前記第１光電素子と結合した本体内電子回路とを備える本体部と、
前記本体部と一体形成され、所定の指受け部を挟んで前記第１光電素子と光学的に対向する位置に第２光電素子を保持しており、当該第２光電素子と前記本体内電子回路との間における、電力供給および信号伝達のための伝送路を保持しているアームと、
を備えており、
前記光電素子対を用いた前記生体情報の光学的測定と、当該測定結果の外部への送信とのいずれもが、前記本体内電子回路で実行され、
前記光電素子対の駆動制御、前記光電素子対の光検出結果に基づく検出情報信号の演算生成、および前記検出情報信号の当該装置外部への送信のいずれもが、前記本体内電子回路で実行され、
前記指受け部は、前記測定部とは別体として環状に形成されるとともに、前記測定部に連結可能な連結構造を有する生体情報測定装置の指受け部。
【請求項１３】
パルスオキシメータであって、
請求項１ないし請求項１０のいずれかに記載の生体情報測定装置として構成され、
前記生体情報として、少なくとも前記被検生体の血液に含まれる酸素飽和度の情報を測定するパルスオキシメータ。
【発明の詳細な説明】
【技術分野】
【０００１】
本発明は、パルスオキシメータなどのように生体の指に装着して当該指から生体情報を光学的に得る生体情報測定装置と、生体情報測定装置の測定部と、生体情報測定装置の指受け部とに関する。
【背景技術】
【０００２】
血液中の酸素飽和度（ＳｐＯ２）を測定する装置としてパルスオキシメータが知られている。このパルスオキシメータでは、被検者の生体部位に装着される測定部において、生体部位に向けて光が照射され、生体部位を透過または生体部位で反射した光の光量に基づいてＳｐＯ２が導出される。【０００３】
このパルスオキシメータについては、一体型のハウジング内に、光源、センサー、プロセッサーおよびアンプ等が配されている装置が提案されている（例えば、特許文献１等）。これにより、装置の製造コストが低減されるとともに、装置が壊れ難い。また、本体部が手首に装着され、プローブが帯状のテープで指に固定される装置が提案されている（例えば、特許文献２等）。
【先行技術文献】
【特許文献】
【０００４】
【特許文献１】欧州特許第１８３０６９５号明細書
【特許文献２】特開２００５−１１０８１６号公報
【発明の概要】
【発明が解決しようとする課題】
【０００５】
しかしながら、上記特許文献１の技術では、一体型のハウジングの構造を一体成形する際に特殊な金型が必要であり、回路基板等の位置決めも難しい。そして、ハウジングのうちの指に装着される部分（指受け部とも言う）の寸法は、特殊な金型の寸法によって決まるため、指受け部の寸法のみを、大人用の寸法や子供用の寸法等といった具合に変更することは難しい。このため、寸法毎に特殊な金型を準備してパルスオキシメータの生産を行う必要があるが、製品の在庫および流通の管理が容易でない。【０００６】
一方、上記特許文献２には、指のサイズに応じてリング状係止部の内径を調節する構成（指受け部の寸法を変更する構成）が示されている。しかしながら、上記特許文献２に記載の技術では、手首に装着された本体部およびこの本体部から指に固定されたプローブまで伸びるケーブルの存在によって、装置の長時間の装着が被検者にとって負担となる。【０００７】
そしてこれは、パルスオキシメータに限らず、生体の指に装着してその指から生体情報を得る測定装置に共通の課題となっている。【０００８】
本発明は、上記課題に鑑みてなされたものであり、生産における寸法の変更が容易であり且つ長時間の指への装着による被検者への負担が軽減され得る生体情報測定装置を提供することを第１の目的とする。【０００９】
この発明の第２の目的は、上記第１の目的を達成しつつ、生体情報測定装置の供給を効率的にするための改良を行うことである。
【課題を解決するための手段】
【００１０】
上述した目的のうち少なくとも１つを解決するために、本発明の一側面を反映した生体情報測定装置は、発光素子と受光素子とからなる光電素子対の間の空間に被検生体の指を介挿させた状態で、前記発光素子から発光される光を前記受光素子で受光することにより、前記被検生体の生体情報を得る生体情報測定装置であって、前記発光素子および前記受光素子のうちの一方を第１光電素子とし、他方を第２光電素子としたとき、前記生体情報測定装置は、（ａ）前記第１光電素子と前記第２光電素子との対を光電素子対として使用して前記生体情報を光学的に測定する測定部と、（ｂ）前記測定部とは別体として形成されるとともに前記測定部に連結され、前記被検生体の指を受けて保持する指受け部と、を備えるとともに、前記測定部が、前記第１光電素子を光学的に露出する位置に保持するハウジングと、当該ハウジング内に設けられ、前記第１光電素子と結合した本体内電子回路とを備える本体部と、前記本体部と一体形成され、前記指受け部を挟んで前記第１光電素子と光学的に対向する位置に第２光電素子を保持しており、当該第２光電素子と前記本体内電子回路との間における、電力供給および信号伝達のための伝送路を保持しているアームと、を備えており、前記光電素子対を用いた前記生体情報の光学的測定と、当該測定結果の外部への送信とのいずれもが、前記本体内電子回路で実行される。【００１１】
上述した目的のうち少なくとも１つを解決するために、本発明の一側面を反映した生体情報測定装置の測定部は、発光素子と受光素子とからなる光電素子対の間の空間に被検生体の指を介挿させた状態で、前記発光素子から発光される光を前記受光素子で受光することにより、前記被検生体に関する生体情報を得る生体情報測定装置の測定部であって、前記発光素子および前記受光素子のうちの一方を第１光電素子とし、他方を第２光電素子としたとき、前記第１光電素子を光学的に露出する位置に保持するハウジングと、当該ハウジング内に設けられ、前記第１光電素子と結合した本体内電子回路とを備える本体部と、前記本体部と一体形成され、所定の指受け部を挟んで前記第１光電素子と光学的に対向する位置に第２光電素子を保持しており、当該第２光電素子と前記本体内電子回路との間における、電力供給および信号伝達のための伝送路を保持しているアームと、を備えており、前記指受け部は、前記測定部とは別体として形成されるとともに前記測定部に連結され、前記被検生体の指を受けて保持するものであり、前記光電素子対を用いた前記生体情報の光学的測定と、当該測定結果の外部への送信とのいずれもが、前記本体内電子回路で実行される。【００１２】
上述した目的のうち少なくとも１つを解決するために、本発明の一側面を反映した生体情報測定装置の指受け部は、発光素子と受光素子とからなる光電素子対の間の空間に被検生体の指を介挿させた状態で、前記発光素子から発光される光を前記受光素子で受光することにより、前記被検生体に関する生体情報を得る生体情報測定装置において、前記被検生体の指を受けて保持する指受け部であって、前記発光素子および前記受光素子のうちの一方を第１光電素子とし、他方を第２光電素子としたとき、測定部は、前記第１光電素子を光学的に露出する位置に保持するハウジングと、当該ハウジング内に設けられ、前記第１光電素子と結合した本体内電子回路とを備える本体部と、前記本体部と一体形成され、所定の指受け部を挟んで前記第１光電素子と光学的に対向する位置に第２光電素子を保持しており、当該第２光電素子と前記本体内電子回路との間における、電力供給および信号伝達のための伝送路を保持しているアームと、を備えており、前記光電素子対を用いた前記生体情報の光学的測定と、当該測定結果の外部への送信とのいずれもが、前記本体内電子回路で実行され、前記光電素子対の駆動制御、前記光電素子対の光検出結果に基づく検出情報信号の演算生成、および前記検出情報信号の当該装置外部への送信のいずれもが、前記本体内電子回路で実行され、前記指受け部は、前記測定部とは別体として環状に形成されるとともに、前記測定部に連結可能な連結構造を有する。
【発明の効果】
【００１３】
本発明の一側面を反映した生体情報測定装置では、投受光による光学的測定動作と、当該測定動作によって得られるデータの送信とに必要な基本的機能が測定部だけで完結している。このため、指受け部にはこれらの機能の一部を分担させる必要がなく、指受け部は容易かつ低コストで製造される。【００１４】
また、測定部と指受け部とは別体として形成され、これらは連結されている。したがって、生体情報測定装置のメーカは、指受け部の寸法が複数（例えば、大人用の寸法や子供用の寸法）ある場合には、測定部と指受け部とを別体として管理しておいて、受注後に必要に応じてこれらを連結して生体情報測定装置を生産することが可能となる。すなわち、本発明の生体情報測定装置では、使用者の指のサイズに対応する生体情報測定装置を容易に生産可能であり、さらに、製品の在庫および流通の管理が容易となる。その結果、生体情報測定装置の供給を効率的に行うことができる。【００１５】
また、測定部に指受け部が連結されるため、例えば、測定部の構成の一部を指から離れた部位に装着（例えば、特開２００５−１１０８１６号公報）する必要がなく、測定部と指受け部とを繋ぐケーブル等が不要である。したがって、生体情報測定装置の指への装着による被検者への負担が軽減される。【００１６】
本発明の一側面を反映した生体情報測定装置の測定部は、上記生体情報測定装置に利用可能である。【００１７】
本発明の一側面を反映した生体情報測定装置の指受け部は、上記生体情報測定装置に利用可能である。
【図面の簡単な説明】
【００１８】
【図１】一実施形態に係る生体情報測定装置の外観を模式的に示す斜視図である。
【図２】一実施形態に係る生体情報測定装置の外観を模式的に示す側面図である。
【図３】一実施形態に係る生体情報測定装置の外観を模式的に示す正面図である。
【図４】一実施形態に係る生体情報測定装置の構成を模式的に示す上面図である。
【図５】図３にて一点鎖線III−IIIで示した位置におけるＸＺ断面を示す断面図である。
【図６】図４にて一点鎖線Ｖ−Ｖで示した位置におけるＹＺ断面を示す断面図である。
【図７】一実施形態において、指受け部が測定部に取り付けられる前の様子を示す図である。
【図８】一実施形態において、指受け部が測定部に取り付けられる様子を示す図である。
【図９】一実施形態に係る生体情報測定装置の機能的な構成を示すブロック図である。
【図１０】一実施形態に係る電気回路の機能的な構成を示すブロック図である。
【図１１】一実施形態に係る生体情報測定装置が指へ装着される様子を示す図である。
【図１２】第１変形例に係る生体情報測定装置の構成を模式的に示す図である。
【図１３】第１変形例に係る生体情報測定装置の指への装着態様を示す図である。
【図１４】第２変形例において、指受け部が測定部に取り付けられる前の様子を示す図である。
【図１５】第３変形例において、指受け部に測定部およびバンドが取り付けられる様子を示す図である。
【図１６】第３変形例において、生体情報測定装置の内部構成を示す図である。
【図１７】第４変形例において、指受け部が測定部に取り付けられる前の様子の一例を示す図である。
【図１８】第４変形例において、指受け部が測定部に取り付けられる前の様子の一例を示す図である。
【図１９】第４変形例において、指受け部が測定部に取り付けられる前の様子の一例を示す図である。
【発明を実施するための形態】
【００１９】
以下、本発明の実施形態を図面を参照しつつ説明する。なお、図面においては同様な構成および機能を有する部分については同じ符号が付されており、下記説明では重複説明が省略される。また、図面は模式的に示されたものであり、各図における各種構造のサイズおよび位置関係等は正確に図示されたものではない。これらのうち図１ないし図８、図１１ないし図１９には、生体情報測定装置１の長手方向の一方向（図１の図面視右方向）を＋Ｘ方向とする右手系のＸＹＺ座標系が付されている。
【００２０】
＜(１)一実施形態＞
＜(１−１)生体情報測定装置１の構成＞
この発明の一実施形態に係る生体情報測定装置１は、発光部４（発光素子）から発され被検生体（典型的には患者などの被検者）の指を透過した光を受光部５（受光素子）で受光し、当該受光部５から出力される信号に基づいて血液中の酸素飽和度に係るデジタル値（ＳｐＯ２値）を取得するパルスオキシメータである。
【００２１】
図１ないし図４は、生体情報測定装置１の外観を模式的に示す図である。これらのうち図１には、生体情報測定装置１の斜視図が示されている。図２、図３および図４はそれぞれ、生体情報測定装置１の側面図、正面図および平面図である。
【００２２】
また、図５および図６は、生体情報測定装置１の構成を模式的に示す図である。図５には、図３の一点鎖線III−IIIで示した位置におけるＸＺ断面が示されている。図６には、図５の一点鎖線Ｖ−Ｖで示した位置におけるＹＺ断面が示されている。
【００２３】
図示されるように、生体情報測定装置１は、大略的に、測定部２と指受け部３とを備えている。測定部２は、本体部２０とアーム２５とが一体形成された構成であり、パルスオキシメータの測定機能に係る基本的な電気的構成（発光部４、受光部５、電気回路６など）がこの測定部２で完結している。また、指受け部３は、被検生体（被検者）の指を保持可能な構成を有している。そして、測定部２と指受け部３とのうち少なくとも一方には、これらを一体化するための構成が備えられている。
【００２４】
このため、測定部２と指受け部３とを連結し、指受け部３内に被検者の指を配した状態で後述する投受光動作（発光および受光による測定動作）を行うことで、当該被検者の血液の酸素飽和度などに関する生体情報が得られる。
【００２５】
以下、生体情報測定装置１の詳細な構成について説明する。
【００２６】
本体部２０は、ハウジング２０ｈと当該ハウジング２０ｈ内に配されている各種構成とを備えている。当該ハウジング２０ｈ内に配されている各種構成には、発光部４、電気回路６、電源部７、充電部８、通信部９、および操作部１０が含まれている。ハウジング２０ｈは、例えば、略直方体の形状を有している。ここで、ハウジング２０ｈが指受け部３よりも硬ければ、本体部２０に格納される各種構成が壊れ難く、相対的に柔らかい指受け部３によって被検者の指が保持されるため、生体情報測定装置１の装着感が良好となり得る。
【００２７】
アーム２５は、本体部２０と一体的に形成される部分であり、受光部５と、受光部５と電気回路６とを電気的あるいは光学的に情報伝達可能に接続する伝送路２６と、当該受光部５と当該伝送路２６とを実装する基板２７とを備えている。このような基板２７としては、例えば、フレキシブルな基板（以下、「フレキ２７」と呼ぶ）を採用することができる。この場合、フレキ２７が柔軟性をもち変形可能であるため、後述する指受け部３の変形に対応してアーム２５も変形され、被検者における生体情報測定装置１の装着感が良好となり得る。なお、アーム２５については、伝送路２６やフレキ２７等が露出しないように、これらを被覆する絶縁体などを設けることが望ましい。
【００２８】
また、アーム２５における受光部５の配置は、指受け部３において被検生体の指が配される領域を挟んで発光部４と受光部５とが対向するように決定される。このため、投受光動作においては、発光部４より発せられる光が被検生体の指を透過し、受光部５によって受光される。なお、この実施形態においては、発光部４が本発明における「第１光電素子」に、受光部５が本発明における「第２光電素子」に、発光部４と受光部５との対が本発明における「光電素子対」に相当する。
【００２９】
指受け部３は、生体情報測定装置１において投受光動作の際に被検生体の指に装着し、当該指と測定部２との位置関係を相対的に固定するための部分である。例えば、指受け部３が、指を保持するための弾性力を発する弾性体を含んでいれば、生体情報測定装置１の指への装着が容易である。当該弾性体としては、例えば、ゴム等の高分子材料およびバネ等が採用され得る。具体的には、例えば、指受け部３の略全体が弾性を有するゴム等の樹脂によって構成される態様、および略Ｕ字状の板バネが樹脂に埋め込まれた態様等が採用され得る。
【００３０】
また、指受け部３には、生体の指が−Ｘ方向に挿入される挿入孔３Ｈを有する環状部３Ｒが設けられている。したがって、挿入孔３Ｈへの指の挿入によって、生体情報測定装置１の指への装着が非常に容易に行われ得る。そして、指受け部３の弾性体によって発生する弾性力によって、挿入孔３Ｈが閉じる方向に環状部３Ｒが弾性変形されるため、生体情報測定装置の指への装着が安定的であり、かつ長時間の指への装着による被検者の負担が軽減されうる。
【００３１】
指受け部３は測定部２と別体として形成されるが、投受光動作を行う際には、指受け部３は測定部２と連結されて用いられる（図１ないし図３、図５、図６参照）。すなわち、測定部２と指受け部３とのうち少なくとも一方には、これらを一体化するための構成が備えられている。
【００３２】
図７は、生体情報測定装置１について測定部２に指受け部３が取り付けられる前の状態（それぞれ別体として形成された状態）を示す図である。また、図８は、別体の測定部２と指受け部３とが一体化される様子の一例を示す図である。なお、本明細書において、「測定部２と指受け部３とを一体化する」あるいは「連結する」という表現は、「測定部２と指受け部３とが接しているとともに、測定部２から指受け部３が容易に脱落しないような状態、あるいはそれらの間の相対的な位置関係が大きく変動しないような状態にする」ことを意味し、「測定部２と指受け部３とを再分離不能に完全固定する」ことには限定しない。
【００３３】
図７，図８に示すように、本実施形態において、指受け部３の外周にはアーム２５と嵌合する溝３１が形成される。このため、アーム２５を指受け部３に設けられた溝３１に嵌め合わせることによって、測定部２と指受け部３とが連結して一体化される。また、溝３１に接着剤等を充填しアーム２５を当該溝３１に嵌め合わせることで、測定部２と指受け部３とが接着剤によって固着（固定）されるため、より安定的に連結される。この場合、測定部２からの指受け部３の脱落を特に有効に防止できる。
【００３４】
以上説明したように、本実施形態の生体情報測定装置１は、測定部２と指受け部３とを別体として形成し、形成後にこれらを連結して構成されている。したがって、例えば、指受け部３の寸法が複数（大人用の寸法と子供用の寸法など）ある場合には、この生体情報測定装置１のメーカでは、それぞれの構成部品を別体として製造し、受注に応じて測定部２と指受け部３とを連結、あるいは連結後に固定して生体情報測定装置１を完成させることが可能である。このように、必要に応じて最終的な生産を行うことが可能となるため、製品の在庫および流通の管理が容易になり得る。
【００３５】
なお、複数の寸法の指受け部３を製造する場合には、当該複数の寸法の指受け部３のそれぞれが、測定部２と連結する構造（例えば、溝３１）を有する必要がある。このような指受け部３の一例として、外形（例えば、溝３１）が同じサイズを有する一方で内径の異なる指受け部３を採用することができる。この場合、使用者は、当該使用者の指のサイズと対応する内径を有する指受け部３を使用することが可能となる。また、別の例として、外形（例えば、溝３１）も内径も同様であるが弾性力の異なる指受け部３を採用することができる。この場合、使用者は、当該使用者の指のサイズと対応する弾性力を有する指受け部３を使用することが可能となる。
【００３６】
また、本実施形態の生体情報測定装置１では、パルスオキシメータの測定機能に係る基本的な電気的構成が測定部２内で完結していることにより、指受け部３が測定のための電気的要素を含まずに形成できる。これによる利点などは後述する。
【００３７】
また、指受け部３の構成のうち、発光部４および受光部５と接する面には、光を透過しやすい素材（例えば、ガラス）からなる発光窓１１ａおよび受光窓１１ｂが設けられている（図６、図７参照）。このように発光窓１１ａおよび受光窓１１ｂを設ける理由については、生体情報測定装置１の測定動作の詳細と合わせて後述する。
【００３８】
＜(１−２)生体情報測定装置の機能的な構成＞
図９および図１０は、生体情報測定装置１の機能的な構成を示すブロック図である。
【００３９】
図９で示されるように、生体情報測定装置１は、電気的な構成として、発光部４、受光部５、電気回路６、電源部７、充電部８、通信部９、操作部１０、伝送路２６、およびフレキ２７を備えている。特に、発光部４、電気回路６、電源部７、充電部８、通信部９および操作部１０からなる電気的構成ＥＣは、本体部２０に係る電気的構成であり、本発明における「本体内電子回路」に相当する。
【００４０】
発光部４は、電気回路６に対して電気的に結合されている。そして当該発光部４は、電気回路６の制御に応じた電源部７からの電力の供給によって受光部５に向けて光を発する。図５，図６では、この光が進む経路（光路）が矢印で示されている。発光部４には、赤色領域の波長λ１の光を発する部分と、赤外線の波長λ２の光を発する部分とが含まれる。このような発光部４としては、例えば、ＬＥＤ（Light Emitting Diode）等が採用され得る。なお、測定時には、発光部４から波長λ１の赤色光Ｌｒと波長λ２の赤外光Ｌｉｒとが時間的に交互に発せられるような、繰返しパルス発光が行われる。
【００４１】
受光部５は、フレキ２７上に実装される伝送路２６を介して電気回路６に対して電気的に接続されている。当該受光部５は、受光した光の強度に応じた大きさの電流信号を後述する信号処理部６２に出力する。なお、受光部５は、例えば、少なくとも波長λ１の光および波長λ２の光に対して感度を有するシリコンフォトダイオード等の光電変換素子を備えている。そして、例えば、挿入孔３Ｈに指が挿入された状態で、受光部５は、発光部４から発せされる波長λ１，λ２の光のうち、指の生体組織を透過した光を受光する。
【００４２】
なお、生体情報の測定時には、発光部４から波長λ１の赤色光Ｌｒと波長λ２の赤外光Ｌｉｒとが時間的に交互に射出され、受光部５において発光部４の発光動作に同期して受光動作が行われる。発光部４の発光動作および受光部５の受光動作は、後述する制御部６１によって制御され得る。各光Ｌｒ，Ｌｉｒについての投受光動作は、例えば、１／１００（秒）以上で且つ１／３０（秒）以下程度の周期で繰り返される。
【００４３】
ここで、本実施形態のように発光部４が本体部２０側に配されていれば、発光部４へ電力を供給するための配線経路が短くなり得る。これにより、発光部４への電力供給による電気回路６等に対するノイズの影響が低減され得る。
【００４４】
電気回路６は、制御部６１および信号処理部６２を備えている。この電気回路６は、各種電子部品、集積回路部品およびＣＰＵ等によって構成されれば良い。また、図１０で示されるように、制御部６１は、測定制御部６１１、通信制御部６１２および充電部制御部（不図示）を備えている。信号処理部６２は、電流電圧変換部（以下、Ｉ／Ｖ変換部と言う）６２１、信号増幅部６２２、アナログデジタル変換部（以下、Ａ／Ｄ変換部と言う）６２３および解析処理部６２４を備えている。
【００４５】
測定制御部６１１は、発光部４および受光部５の動作を制御するものである。ここでは、波長λ１の赤色光Ｌｒおよび波長λ２の赤外光Ｌｉｒを、例えば、それぞれ１／１００（秒）の周期で発光部４から時間的に交互に射出させる。通信制御部６１２は、後述する通信部９によるデータの通信を制御する。
【００４６】
Ｉ／Ｖ変換部６２１は、周期的に受光部５から出力される電流信号を電圧信号に変換する。該電圧信号は、アナログの脈波に係る信号（脈波信号とも言う）である。
【００４７】
信号増幅部６２２は、例えば、Ｉ／Ｖ変換部６２１から出力される電圧信号を増幅するアンプである。
【００４８】
Ａ／Ｄ変換部６２３は、信号増幅部６２２から出力されるアナログの脈波信号をデジタルの脈波信号に変換する。これにより、脈波に係るデジタル値が得られる。すなわち、発光部４から発せられて指を透過した光が受光部５で受光されることで受光部５から出力される電流信号に基づいて、脈波に係るデジタル値が取得される。
【００４９】
解析処理部６２４は、Ａ／Ｄ変換部６２３から出力されたデジタルの脈波信号に基づいて、所定のデータ解析を行う。これにより、受光部５で受光された各光Ｌｒ，Ｌｉｒの光量および脈波の振幅、赤色光Ｌｒの振幅と赤外光Ｌｉｒの振幅との比率、血液中の酸素飽和度の値（ＳｐＯ２値）、脈拍数ならびに脈波の間隔（周期）等の各種値が算出される。
【００５０】
なお、測定制御部６１１、通信制御部６１２および解析処理部６２４は、専用の電子回路によって構成されても良いし、マイクロプロセッサやＤＳＰ（Digital Signal Processor）等においてプログラムが実行されることで実現されても良い。Ｉ／Ｖ変換部６２１、信号増幅部６２２およびＡ／Ｄ変換部６２３は、例えば、専用の電子回路によって構成され得る。
【００５１】
電源部７は、例えば、ニッケル水素蓄電池またはリチウムイオン電池等の二次電池を備えている。発光部４および電気回路６等の生体情報測定装置１の各種構成には、電源部７から電力が供給される。
【００５２】
充電部８は、電源部７の二次電池に対して充電を行うための回路である。例えば、二次電池に対して電気的に接続される端子に充電器が接続されることで、二次電池に対する充電が行われる形態が考えられる。これにより、簡易な構成で二次電池への充電が可能となる。ここで、例えば、充電部８で、二次電池に対して非接触の充電が行われる場合、つまり、充電部８が、二次電池に対する非接触の充電を行うための回路を有する場合には、充電器等を接続する端子等が不要である。このため、より簡易な構成で二次電池への充電が可能となる。なお、非接触の充電の方式としては、例えば、コイルの電磁誘導等を用いた方式等が採用され得る。これにより、本体部２には乾電池等の一次電池を交換するための機構（たとえば開閉可能な蓋）が不要となり得る。その結果、簡易且つ壊れ難い本体部２０の構成が実現され得る。
【００５３】
通信部９は、信号処理部６２で取得されるデータを無線方式で、外部の装置たとえばモニタリング（表示）機器や治療機器などに送信する。これにより、生体情報測定装置１からの信号の解析および保存を行うための構成、ならびに測定結果を表示する表示部を生体情報測定装置１そのものに設ける必要性がない。その結果、生体情報測定装置の小型化、省電力化および製造コストの低減が図られ得る。
【００５４】
また、本実施形態のように、無線によるデータの通信を採用することで、有線によるデータの通信を採用した場合（例えば、本体部２０と外部機器とがケーブルで接続される場合）に比べ、生体情報測定装置１の装着による被検者の負担（例えば、ケーブルが邪魔になる等）を軽減しうる。
【００５５】
また、例えば、信号処理部６２のＡ／Ｄ変換部６２３で取得されるデジタルの脈波信号、すなわち脈波に係るデジタル値のデータが、通信部９によって送信される構成が採用されても良い。この場合、例えば、通信部９から送信されたデータを受信した外部の装置（例えば、パーソナルコンピュータ等）において、解析処理部６２４に相当する構成で各種値が算出されれば良い。これにより、生体情報測定装置１における信号を処理するための構成が簡略化され得る。このため、装置の小型化、省電力化および製造コストのさらなる低減が図られ得る。
【００５６】
ここで、信号処理部６２において、デジタルの脈波信号に基づいて、血液中の酸素飽和度の値（ＳｐＯ２値）、脈拍数および脈波の間隔（周期）のうちの少なくとも１種以上に係るデジタル値が取得される場合を想定する。この場合、信号処理部６２によって取得される血液中の酸素飽和度の値（ＳｐＯ２値）、脈拍数および脈波の間隔（周期）のうちの少なくとも１種以上に係るデジタル値のデータが通信部９によって送信され得る。これにより、通信部９から送信されたデータを受信した外部の装置において特別な演算等が行われずとも、当該外部の装置において有益な情報が容易に取得され得る。また、生体情報測定装置１における測定結果を表示する表示部の省略が可能であるため、装置の小型化、省電力化および製造コストの低減が図られ得る。
【００５７】
なお、電気回路６には、信号処理部６２で取得されるデータを記憶する各種メモリが備えられていても良い。その場合には、たとえばモニタリング機器や治療機器などが準備できない屋外の急病人に対して生体情報測定装置１を装着して測定を行うとともに、その測定データを当該メモリに記憶しておく。そして、病院や救急車などにその急病人が搬送されてから、そのメモリから測定データを読出してモニタリング機器や治療機器などに送信させることにより、急病が生じた直後の患者の状況を時間的に遡って知得するというような時間差利用も可能となる。
【００５８】
操作部１０は、例えば、電源ボタン、測定開始ボタンおよび測定終了ボタンを備えている（図４参照）。電源ボタンは、生体情報測定装置１の各部に対する電源部７からの電力の供給の有無を切り替えるためのボタンである。測定開始ボタンは、血液中の酸素飽和度の値（ＳｐＯ２値）の測定等を開始させるためのボタンである。測定終了ボタンは、血液中の酸素飽和度の値（ＳｐＯ２値）の測定等を終了させるためのボタンである。
【００５９】
＜(１−３)生体情報測定装置の指への装着＞
図１１には、挿入孔３Ｈに指ＦＧ１が挿入されている状態における生体情報測定装置１の一形態が例示されている。
【００６０】
例えば、図２および図３で示されるように、生体情報測定装置１が指に装着されていない状態では、挿入孔３Ｈに挿入される指を挟持するための弾性力が指受け部３の弾性体によって発せられ、挿入孔３ＨがＺ方向に閉じて偏平菱形になる方向に環状部３Ｒが弾性変形している。このとき、例えば、図３で示されるように、環状部３Ｒが、±Ｙ側の部分Ｂ１，Ｂ２において折り曲げられた状態となり得る。
【００６１】
これに対し、生体情報測定装置１が指に装着される際には、ユーザ（医療従事者または被検者本人）による手操作によって、指受け部３の弾性体が発する弾性力に抗して、挿入孔３ＨがＺ方向に広げられるように環状部３Ｒが弾性変形され、図１１で示されるように、挿入孔３Ｈに対して−Ｘ方向に指ＦＧ１が挿入される。これにより、生体情報測定装置１が指ＦＧ１に装着されている状態では、指受け部３の弾性体が発する弾性力によって、挿入孔３ＨをＺ方向に閉じる方向に環状部３Ｒが変形しようとして、指ＦＧ１が指受け部３によって挟持される。このとき、例えば、挿入孔３Ｈに挿入された指ＦＧ１のうちの爪Ｎ１と遠位指節間関節（第１関節とも言う）Ｊ１との間の領域に発光部４から発せられる各光Ｌｒ，Ｌｉｒが照射されるように、指ＦＧ１が挿入孔３Ｈに挿入されれば良い。
【００６２】
なお、上述した投受光動作（測定動作）は、図１１に示すように被検者の指を指受け部３に挿入した状態で行われる。そして、発光部４から発せられる各光Ｌｒ，Ｌｉｒは、指受け部３および被検者の指ＦＧ１を通過して、受光部５にて受光される。このため、指受け部３内の各光Ｌｒ，Ｌｉｒが通過しうる領域（すなわち、指受け部３において、発光部４または受光部５と接する面）に、当該光Ｌｒ，Ｌｉｒを透過させやすい素材（例えば、ガラス）からなる発光窓１１ａおよび受光窓１１ｂを設けることで、発光部４および受光部５が光学的に露出され、生体情報測定装置１による測定の精度が向上する。
【００６３】
＜(１−４)一実施形態のまとめ＞
以上のように、本実施形態に係る生体情報測定装置１では、測定部２にパルスオキシメータの測定機能に係る基本的な電気的構成（発光部４、受光部５、電気回路６など）が完結している。このため、指受け部３は、これらの機能の一部を分担させる必要がなく、生体の指を保持可能で測定部２と一体化される機構であればよい。したがって、指受け部３がより容易にかつ低コストで製造されうる。
【００６４】
さらに、例えば、指受け部の寸法が複数（例えば、大人用の寸法や子供用の寸法）ある場合には、測定部２と指受け部３とを別体として管理しておいて、受注後に必要に応じてこれらを接着剤等で固着することによって固定的に連結して生体情報測定装置１を生産することが可能となる。すなわち、本実施形態の生体情報測定装置１では、被検者の指のサイズに合わせて指受け部３の寸法を容易に設定可能であり、さらに、製品の在庫および流通の管理が容易となる。
【００６５】
また、パルスオキシメータの測定機能に係る基本的な電気的構成（つまり、この装置としての本来の測定の目的を達成するために不可欠な機能を実現する電気的構成要素群）の一部を指受け部３に設けている場合には、指受け部３を測定部２に連結するまでは、生体情報測定装置１の測定機能についての試験をすることができない。それは、受光部または発光部がまだ組みあわされていないためである。ところが、この発明の特徴に沿って、測定に必要な基本的な電気的構成の全体を測定部２に設けておけば、指受け部３と測定部２とを連結する前に、生体情報測定装置１の測定機能についての試験が可能となるという利点もある。
【００６６】
そして、測定部２に指受け部３が直接取り付けられるため、指以外の部位に測定部２の一部（例えば、本体部２０）を装着する必要がない。したがって、例えば、特開２００５−１１０８１６号公報に記載のオキシメーターのように、本体部と指受け部とを繋ぐケーブル等が不要である。したがって、生体情報測定装置１の指への装着による被検者への負担が軽減され得る。
【００６７】
＜(２)変形例＞
なお、本発明は上述の一実施形態に限定されるものではなく、本発明の要旨を逸脱しない範囲において種々の変更、改良等が可能である。
【００６８】
＜(２−１)第１変形例＞
上記一実施形態に係る生体情報測定装置１では、挿入孔３Ｈが±Ｘ方向に貫通していたが、これに限られるものではない。例えば、図１２で示されるように、指受け部３のうちの挿入孔３Ｈの−Ｘ方向の一端部側にストッパー部ＳＦ１が加えられた生体情報測定装置１Ａが採用されても良い。この場合、図１３で示されるように、挿入孔３Ｈに対して＋Ｘ側から指ＦＧ１が挿入されて、ストッパー部ＳＦ１に指ＦＧ１が当接される動作によって、指ＦＧ１のうちの光を照射すべき位置に素早く且つ適切に、生体情報測定装置１Ａが装着され得る。すなわち、生体情報測定装置１Ａの指ＦＧ１への装着に際して、装着位置の位置決めが容易である。
【００６９】
ここで、ストッパー部ＳＦ１が、ゴム等の弾性を有する部材であれば、挿入孔３Ｈへ指ＦＧ１が挿入される際に、指先が傷つき難いため、生体情報測定装置１Ａの指先への装着が容易である。さらに、ストッパー部ＳＦ１に指先がフィットし易いため、長時間の指先への生体情報測定装置１Ａの装着による被検者への負担が軽減され得る。また、ストッパー部ＳＦ１が、光の透過を遮断する遮光素材であれば、当該遮光によって外光が受光部５に照射され難い。このため、測定誤差が生じ難い。
【００７０】
＜(２−２)第２変形例＞
上記一実施形態に係る生体情報測定装置１では、アーム２５が指受け部３の外周に形成された溝３１に嵌め合わされて測定部２と指受け部３とが一体化されていたが、これに限られるものではない。例えば、図１４（ａ）および図１４（ｂ）の生体情報測定装置１Ｂに示すように、指受け部３にアーム２５が挿通される挿通孔３２が形成される構造（トンネル構造）を採用してもよい。この場合、アーム２５（受光部５、伝送路２６、フレキ２７など）が当該挿通孔３２内に挿通されて、測定部２と指受け部３とが連結される。したがって、アーム２５の電気的構成（受光部５、伝送路２６、フレキ２７など）が指受け部３の内部に保護されるので、上記実施形態のようにアーム２５が指受け部３の外部に設けられる場合に比べて、壊れ難い。
【００７１】
＜(２−３)第３変形例＞
また別の実施形態として、上記一実施形態に係る生体情報測定装置１の構成に加え、アーム２５と溝３１との嵌合箇所を覆うバンド８０をさらに有する生体情報測定装置１Ｃを採用してもよい（図１５、図１６）。アーム２５の電気的構成（受光部５、伝送路２６、フレキ２７など）がバンド８０の内部に保護されるため、上記実施形態のようにアーム２５が指受け部３の外部に設けられる場合に比べて、壊れ難い。バンド８０は絶縁性を有していることが望ましい。
【００７２】
特に、本変形例では、指受け部３のＹＺ平面視における外周のうち上部を除く略Ｕ字区間に沿って溝３１が形成され、ＹＺ平面視おいて略Ｕ字形状のバンド８０が該溝３１に嵌め合わされているので、バンド８０と指受け部３との密着性が高い。また、バンド８０と溝３１との嵌合箇所を接着剤等で固着すればバンド８０と指受け部３との密着性は一層高まり、バンド８０が指受け部３から脱落し難くなる。本変形例では、測定部２の一部であるアーム２５をバンド８０と指受け部３とで挟む構成となるため、バンド８０と指受け部３との密着性が高まることで指受け部３と測定部２との密着性も高まり、指受け部３が測定部２から脱落し難くなる。
【００７３】
また、本変形例では、略Ｕ字形状であるバンド８０の両端部８１が本体部２０の下面の凹部２９に嵌め合わされる構成となっている。バンド８０の両端部８１と本体部２０の下面の凹部２９とを接着剤等で固着すればバンド８０と本体部２０との密着性が一層高まり、バンド８０が本体部２０から脱落し難くなる。
【００７４】
また、アーム２５と溝３１との嵌合箇所をバンド８０で被覆する本変形例の生体情報測定装置１Ｃの構成は、上記トンネル構造を有する第２変形例の生体情報測定装置１Ｂの構成に比べ、組み立てが容易である。
【００７５】
＜(２−４)第４変形例＞
上記一実施形態に係る生体情報測定装置１では、測定部２と指受け部３とを固定的に連結する方法として、接着剤を用いて固着する方法について説明したが、これに限られるものではない。図１７ないし図１９は、測定部２と指受け部３とを相対的に固定する方法として、上記実施形態で説明した接着剤による固着とは異なる固定方法を示した図である。なお、当該固定方法に関係がない部分（例えば、アーム２５、発光窓１１ａ、受光窓１１ｂなど）については、適宜省略して描いてある。
【００７６】
例えば、図１７（ａ）および図１７（ｂ）で示される生体情報測定装置１Ｄように、測定部２と指受け部３とに被狭持部Ｃ２，Ｃ３を設ける構成を採用しても良い。この場合、被狭持部Ｃ２，Ｃ３を当接させて、クリップＣＬ１，ＣＬ２等によって被狭持部Ｃ２，Ｃ３が挟持されることによって、測定部２と指受け部３とが固定される。なお、被狭持部Ｃ２，Ｃ３およびクリップＣＬ１，ＣＬ２が、本発明における「クリップ嵌合構造」に相当する。
【００７７】
また、例えば、図１８（ａ）および図１８（ｂ）で示される生体情報測定装置１Ｅように、指受け部３に凸部ＰＲ２が設けられ、測定部２の本体部２０に当該凸部ＰＲ２と対応する凹部ＳＬ１が設けられる構成を採用しても良い。この場合、凸部ＰＲ２が凹部ＳＬ１に押し込まれることによって、測定部２と指受け部３とが固定される。さらに、図１９（ａ）および図１９（ｂ）に示す生体情報測定装置１Ｆように、凹部ＳＬ１の内部および凸部ＰＲ２の先端に係止部が設けられる場合には、測定部２と指受け部３とがより強固に固定される。なお、凸部ＰＲ２および凹部ＳＬ１が、本発明における「凹凸嵌合構造」に相当する。また、本変形例とは逆に、凸部が測定部２の本体部２０に設けられ、凹部が指受け部３に設けられる構成でもよい。
【００７８】
すなわち、上記一実施形態のように溝３１に接着剤を充填して測定部２と指受け部３とを固着する固定的連結方法の他にも、図１７ないし図１９で示したように、測定部２と指受け部３とを構造的に連結する方法を採用することができる。
【００７９】
そして、当該連結方法（図１７ないし図１９参照）では、測定部２と指受け部３とを着脱自在に連結することができる。また、当該着脱自在な連結方法と接着剤による固定的連結方法（固着）との両方を採用することで、測定部２と指受け部３とはより強固に固定される。
【００８０】
そして、前者の連結方法（着脱自在な連結方法）においては、生体情報測定装置１のメーカだけでなくユーザにおいても測定部２と指受け部３とを連結あるいは分離させることが可能となりうる。したがって、例えば、ユーザが複数の寸法の指受け部３を有している場合には、必要に応じて好適な一の指受け部３を選択して生体情報測定装置１を使用することが可能となる。また、指受け部３の寸法を変更するという目的以外にも、指受け部３が劣化・損傷等した場合に、ユーザは同一の寸法の他の指受け部３に取り替えることも可能である。また、例えば、測定部２から指受け部３を分離して洗浄し、洗浄後の指受け部３を測定部２に再び連結することも可能となる。このように、測定部２と指受け部３との分離可能な連結方法を採用した場合、多様な利用態様があるため、測定部２および指受け部３の有効利用が図られうる。
【００８１】
＜(２−５)第５変形例＞
上記一実施形態に係る生体情報測定装置１では、アーム２５が、受光部５と、伝送路２６と、当該受光部５と当該伝送路２６とを実装するフレキ２７とを有する構成を採用していたが、これに限られるものではない。すなわち、アーム２５の構成において必須の要件は、本体部２０と一体形成されること、発光部４と受光部５とを光学的に対向するように受光部５を保持すること、本体部２０と受光部５とを電気的に接続する伝送路２６を有することであり、これらを満たす種々のアーム２５を採用することができる。
【００８２】
したがって、例えば、受光部５と伝送路２６とを実装するフレキ２７（上記一実施形態の構成）に代えて、受光部５を実装する基板と、発光部４と受光部５が対向するように当該基板を保持する保持手段と、当該基板と本体部２０とを電気的に接続する伝送路２６（例えば、リード線）とを有する構成を採用することができる。また、別の例として、受光部５を実装する基板と、当該基板と本体部２０とを電気的に接続する伝送路２６と、当該伝送路２６を実装するフレキシブルな基板とを有する構成を採用することができる。
【００８３】
また、アーム２５が全体として柔軟性を有することで、指受け部３の変形に対応可能となり生体情報測定装置１の装着感が良好となりうる点については、既に説明した通りであるが、これに限られるものではない。すなわち、アーム２５の構成において、柔軟性は必須の要件ではない。したがって、例えば、アーム２５が、上記電気的構成（受光部５、伝送路２６、フレキ２７等）を保護する剛性の筐体を有しており、全体として剛性を有する構成の場合、生体情報測定装置１の装着感は上記一実施形態の構成に劣るものの、生体情報測定装置１の衝撃防御性や耐水性は向上しうる。
【００８４】
＜(２−６)その他の変形例＞
上記一実施形態に係る生体情報測定装置１では、発光部４を本体部２０側（＋Ｚ側）に配し、受光部５を当該発光部４と光学的に対向するようにフレキ２７上（−Ｚ側）に配する構成が示されていたが、これに限られるものではない。例えば、受光部５を本体部２０側（＋Ｚ側）に配し、発光部４を当該受光部５と光学的に対向するようにフレキ２７上（−Ｚ側）に配する構成が採用されても良い。
【００８５】
この場合には、受光部５が本発明における「第１光電素子」に、発光部４が本発明における「第２光電素子」に相当する。
【００８６】
また、上記一実施形態に係る生体情報測定装置１では、表示部が配されていなかったが、これに限られない。例えば、解析処理部６２４で得られた各種値を表示するための表示部が配されても良い。この場合、通信制御部６１２および通信部９が省かれても良い。
【００８７】
また、上記一実施形態に係る生体情報測定装置１では、指ＦＧ１が挿入される環状部３Ｒを指受け部３が備えていたが、これに限られない。例えば、指受け部３が指ＦＧ１を挟持する構造を有していても良い。但し、生体情報測定装置１の長時間の指への装着による被検者への負担を軽減する観点から言えば、指ＦＧ１が挿入される環状部３Ｒを指受け部３が備えている方が好ましい。
【００８８】
また、上記一実施形態の指受け部３は、挿入孔３Ｈが閉じる方向に弾性力を発する弾性体によって構成されていたが、これに限られるものではない。すなわち、指受け部３が弾性を有しない部材（例えば、挿入孔３Ｈが円形で変形しない部材）であっても構わない。ただし、この場合には、被検者の指のサイズに対応して、挿入孔３Ｈの寸法毎に複数種類の指受け部３が生産されることが望ましい。
【００８９】
また、上記一実施形態に係る生体情報測定装置１では、信号処理部６２によって、血液中の酸素飽和度に係るデジタル値（ＳｐＯ２値）が取得されたが、これに限られない。例えば、ＳｐＯ２値が取得されず、心拍数等の脈波等に関する生体の情報が測定されるパルスオキシメータ以外の生体情報測定装置が採用されても良い。
【００９０】
また、上記一実施形態に係る生体情報測定装置１では、電気回路６にＩ／Ｖ変換部６２１が含まれていたが、これに限られない。例えば、受光部５から出力される電流信号をアナログの電圧信号に変換するＩ／Ｖ変換部６２１を、フレキ２７上に実装しても良い。この場合、受光部５からＩ／Ｖ変換部６２１までの電流信号の伝送経路が短くなることで、ノイズの影響が低減され得る。
【００９１】
また、生体情報測定装置１内の信号伝達には、電気的信号伝送路だけではなく、光ファイバなどを用いた光学的信号伝送路が併用されてもよい。
【００９２】
また、指受け部３に、測定のための基本的な電気的機能とは関係しない電子要素を設けることは、この発明の範囲内である。そのようなものとして、例えば、複数のサイズで製造された指受け部３の種類識別のためのＩＣタグやＨＦタグなどがある。すなわち、生体情報の測定のための基本機能として、
(1)  光電素子対を用いた前記生体情報の光学的測定、および
(2)  当該測定結果の外部への送信、
の機能のいずれもが、測定部２内の電気的構成によって完結していることが本発明の趣旨であり、このようなタグなどは、これらの基本機能には関係しない。
【００９３】
また、この発明は、被検生体が人間（被検者）である場合に限らず、動物病院や畜産施設において動物の指から当該動物の生体情報を得るような装置にも適用できる。
【００９４】
なお、上記一実施形態および各種変形例をそれぞれ構成する全部または一部を、適宜、矛盾しない範囲で組み合わせ可能であることは、言うまでもない。
【符号の説明】
【００９５】
１，１Ａ〜１Ｆ  生体情報測定装置
２  測定部
３  指受け部
３Ｈ  挿入孔
３Ｒ  環状部
４  発光部
５  受光部
６  電気回路
７  電源部
８  充電部
９  通信部
１０  操作部
１１ａ  発光窓
１１ｂ  受光窓
２０  本体部
２０ｈ  ハウジング部
２５アーム
２６  伝送路
２７  フレキ
６１  制御部
６２，６２Ｄ，６２Ｅ  信号処理部
８０  バンド
６２１  電流電圧変換部（Ｉ／Ｖ変換部）
６２２  信号増幅部
６２３  アナログデジタル変換部（Ａ／Ｄ変換部）
６２４  解析処理部
Ｃ１，Ｃ２  被狭持部
ＣＬ１，ＣＬ２  クリップ
Ｆ１  フレキシブルプリント基板
ＦＧ１  指
ＳＦ１  ストッパー部
ＳＬ１  凹部
ＰＲ２  凸部
【要約】
生体情報測定装置は、被検生体の指に装着するための指受け部と、当該指受け部と連結可能であり、当該指受け部に指が配される領域を挟んで対向している発光部と受光部とを含む測定部と、から構成される。また、指受け部と測定部とは別体として形成された後、連結されている。また、測定部内で、生体情報測定装置の測定機能に係る基本的な電気的構成（発光部、受光部、電気回路など）が完結している。以上の構成となっているため、本発明の生体情報測定装置では、指受け部を容易に低コストで製造でき、被検者の指のサイズに合わせて指受け部の寸法を容易に設定可能であり、また、製品の在庫および流通の管理が容易となる。【図１】
0005549793.tif 000002
【図２】
0005549793.tif 000003
【図３】
0005549793.tif 000004
【図４】
0005549793.tif 000005
【図５】
0005549793.tif 000006
【図６】
0005549793.tif 000007
【図７】
0005549793.tif 000008
【図８】
0005549793.tif 000009
【図９】
0005549793.tif 000010
【図１０】
0005549793.tif 000011
【図１１】
0005549793.tif 000012
【図１２】
0005549793.tif 000013
【図１３】
0005549793.tif 000014
【図１４】
0005549793.tif 000015
【図１５】
0005549793.tif 000016
【図１６】
0005549793.tif 000017
【図１７】
0005549793.tif 000018
【図１８】
0005549793.tif 000019
【図１９】
0005549793.tif 000020